(57)【要約】【課題】スクリーンに設けられる挿通孔から生じる光漏れを抑制可能とするプリーツスクリーンを提供する。【解決手段】本発明のプリーツスクリーンは、折り曲げ可能としたスクリーン６の挿通孔４に１本の昇降コード３を挿通したときの隙間が、ピッチ保持コード１１の環状の支持コード１１ａの屈曲径ｂｄより小さいものとする。また、昇降コード３のコード径はピッチ保持コード１１の長径及び短径より小さいものとする。また、丸孔状の挿通孔４の孔径を規定値として１．８ｍｍとし昇降コード３のコード径を規定値として０．７ｍｍとする。また、折り曲げ可能とした上部スクリーン６Ｕ及び下部スクリーン６Ｌを備えるよう構成し、上部スクリーン６Ｕに、上部スクリーン６Ｕの昇降用の昇降コード３Ｕを挿通させる第１の挿通孔４Ｕと、下部スクリーン６Ｌの昇降用の昇降コード３Ｌを挿通させる第２の挿通孔４とが前後方向に並ぶ縦配列に形成する。【選択図】図４
2018178539.tif 000002
【特許請求の範囲】
【請求項１】
プリーツスクリーンであって、
折り曲げ可能としたスクリーンに対し１本の昇降コードを挿通するための挿通孔が設けられ、前記挿通孔に前記昇降コードを挿通したときの隙間が、前記スクリーンを所定ピッチで保持するためのピッチ保持コードの環状の支持コードの屈曲径より小さいことを特徴とするプリーツスクリーン。
【請求項２】
プリーツスクリーンであって、
折り曲げ可能としたスクリーンに対し１本の昇降コードを挿通するための挿通孔が設けられ、前記昇降コードのコード径は、前記スクリーンを所定ピッチで保持するための短径及び長径の楕円断面を持つピッチ保持コードの長径より小さいことを特徴とするプリーツスクリーン。
【請求項３】
前記昇降コードのコード径は、前記ピッチ保持コードの短径より小さいことを特徴とする、請求項２に記載のプリーツスクリーン。
【請求項４】
前記挿通孔の投影径が前記昇降コードのコード径の２倍以下としたことを特徴とする、２又は３に記載のプリーツスクリーン。
【請求項５】
前記スクリーンが４５°傾斜しているときを想定して前記挿通孔の前後方向で垂直又は水平方向に投影した４５°投影径が前記昇降コードのコード径の２倍以下としたことを特徴とする、請求項４に記載のプリーツスクリーン。
【請求項６】
プリーツスクリーンであって、
折り曲げ可能としたスクリーンに対し１本の昇降コードを挿通するための丸孔状の挿通孔が設けられ、
前記挿通孔の孔径を規定値として１．８ｍｍとし、前記昇降コードのコード径を規定値として０．７ｍｍとしたことを特徴とするプリーツスクリーン。
【請求項７】
前記挿通孔は、前記スクリーンの前後方向における略中央部からオフセットした位置に形成されていることを特徴とする、請求項１から６のいずれか一項に記載のプリーツスクリーン。
【請求項８】
プリーツスクリーンであって、
折り曲げ可能とした上部スクリーン及び下部スクリーンを備え、
前記上部スクリーンに、前記上部スクリーンの昇降用の昇降コードを挿通させる第１の挿通孔と、前記下部スクリーンの昇降用の昇降コードを挿通させる第２の挿通孔とが前後方向に並ぶ縦配列に形成されていることを特徴とするプリーツスクリーン。
【請求項９】
前記第１の挿通孔と前記第２の挿通孔のいずれか一方、又は双方は、前記上部スクリーンの前後方向における略中央部からオフセットした位置に形成されていることを特徴とする、請求項８に記載のプリーツスクリーン。
【請求項１０】
前記挿通孔は、丸孔状、前後方向に長尺な長孔状、又はスリット状のいずれかからなることを特徴とする、請求項６又は７に記載のプリーツスクリーン。
【請求項１１】
前記昇降コードは、前記挿通孔が丸孔状で構成されるときは紐状コードで構成され、前記挿通孔が前後方向に長尺な長孔状で構成されるときは紐状コード又はテープ状コードで構成され、前記挿通孔がスリット状に構成されるときはテープ状コードで構成されていることを特徴とする、請求項１から１０のいずれか一項に記載のプリーツスクリーン。
【発明の詳細な説明】
【技術分野】
【０００１】
本発明は、上下方向に折り曲げ可能としたスクリーンをヘッドボックスから吊下支持し、そのスクリーンを昇降して採光量を調節可能とするプリーツスクリーンに関する。
【背景技術】
【０００２】
プリーツスクリーンは、上下方向に折り曲げ可能としたスクリーンをヘッドボックスから吊下支持し、そのスクリーンを操作装置により昇降して採光量を適宜に調節するものである。
【０００３】
一般的に１枚のスクリーンをヘッドボックスから吊下支持するプリーツスクリーンでは、このスクリーンをドレープ生地（遮光性生地）やレース生地（採光性生地）とし、そのスクリーンの畳み込みにより採光量を調整することができる。
【０００４】
また、プリーツスクリーンの一種類として、上下方向にジグザグ状に折り曲げ可能としたスクリーンを異なる生地の上部スクリーンと下部スクリーンとで構成し、上部スクリーンの下端縁と下部スクリーンの上端縁を中間レールに取着し、中間レールとボトムレールをそれぞれ独立した昇降コードで吊下支持したものがある。
【０００５】
このような上部スクリーンと下部スクリーンを持つプリーツスクリーンでは、上部スクリーンを採光性生地とし下部スクリーンを遮光性生地とするか、或いは逆に、上部スクリーンを遮光性生地とし下部スクリーンを採光性生地とするなど、様々な組み合わせの生地を中間レールで分離することができる。そして、上部スクリーンと下部スクリーンのいずれか一方又は双方を畳み込むことで採光量を調節することができ、採光量調節の自由度を高めている。また、中間レールを１つとすることに限らず、複数の中間レールとし３枚以上のスクリーンの組み合わせとすることもできる。
【０００６】
ところで、上部スクリーンと下部スクリーンをそれぞれ昇降させるための上側昇降コードと下側昇降コードについて、上部スクリーンに１つの挿通孔を設け、この１つの挿通孔に対し、上側昇降コード及び下側昇降コードの２本を挿通するプリーツスクリーンが開示されている（例えば、特許文献１参照）。
【０００７】
また、上部スクリーンと下部スクリーンをそれぞれ昇降させるための上側昇降コードと下側昇降コードについて、上部スクリーンに２つの挿通孔を左右方向に並行して設け、２つの挿通孔のそれぞれに対し、上側昇降コード及び下側昇降コードをそれぞれ挿通するプリーツスクリーンが開示されている（例えば、特許文献２参照）。
【先行技術文献】
【特許文献】
【０００８】
【特許文献１】特開２００２−３３２７８５号公報
【特許文献２】特開２００２−１１５４７４号公報
【発明の概要】
【発明が解決しようとする課題】
【０００９】
前述したように、特許文献１の技法では、上部スクリーンと下部スクリーンを持つプリーツスクリーンを構成する際に、上部スクリーンに１つの挿通孔を設け、この１つの挿通孔に対し、上側昇降コード及び下側昇降コードの２本を挿通するようにしている。
【００１０】
また、特許文献２の技法では、上部スクリーンと下部スクリーンを持つプリーツスクリーンを構成する際に、上部スクリーンに２つの挿通孔を左右方向に並行して設け、２つの挿通孔のそれぞれに対し、上側昇降コード及び下側昇降コードをそれぞれ挿通するようにしている。
【００１１】
しかしながら、これらの技法では、上部スクリーンにおける挿通孔の大きさや数が増大することになるため、これらの挿通孔から生じる光漏れが大きくなるという問題がある。
【００１２】
従って、上部スクリーンと下部スクリーンを持つプリーツスクリーンにおいて、スクリーンに設けられる挿通孔から生じる光漏れを抑制する技法が望まれる。また、１枚又は複数枚のスクリーンをヘッドボックスから吊下するプリーツスクリーンにおいても同様に、挿通孔から生じる光漏れを抑制する技法が望まれる。
【００１３】
本発明は、上述の問題に鑑みて、スクリーンに設けられる挿通孔から生じる光漏れを抑制可能とするプリーツスクリーンを提供することにある。
【課題を解決するための手段】
【００１４】
本発明のプリーツスクリーンは、折り曲げ可能としたスクリーンに対し１本の昇降コードを挿通するための挿通孔が設けられ、前記挿通孔に前記昇降コードを挿通したときの隙間が、前記スクリーンを所定ピッチで保持するためのピッチ保持コードの環状の支持コードの屈曲径より小さいことを特徴とする。
【００１５】
本発明のプリーツスクリーンは、折り曲げ可能としたスクリーンに対し１本の昇降コードを挿通するための挿通孔が設けられ、前記昇降コードのコード径は、前記スクリーンを所定ピッチで保持するための短径及び長径の楕円断面を持つピッチ保持コードの長径より小さいことを特徴とする。
【００１６】
また、本発明のプリーツスクリーンにおいて、前記挿通孔の投影径が前記昇降コードのコード径の２倍以下としたことを特徴とする。
【００１７】
また、本発明のプリーツスクリーンにおいて、前記スクリーンが４５°傾斜しているときを想定して前記挿通孔の前後方向で垂直又は水平方向に投影した４５°投影径が前記昇降コードのコード径の２倍以下としたことを特徴とする。
【００１８】
また、本発明のプリーツスクリーンにおいて、前記昇降コードのコード径は、前記ピッチ保持コードの短径より小さいことを特徴とする。
【００１９】
また、本発明のプリーツスクリーンは、折り曲げ可能としたスクリーンに対し１本の昇降コードを挿通するための丸孔状の挿通孔が設けられ、前記挿通孔の孔径を規定値として１．８ｍｍとし、前記昇降コードのコード径を規定値として０．７ｍｍとしたことを特徴とする。
【００２０】
また、本発明のプリーツスクリーンにおいて、前記挿通孔は、前記スクリーンの前後方向における略中央部からオフセットした位置に形成されていることを特徴とする。
【００２１】
更に、本発明のプリーツスクリーンは、折り曲げ可能とした上部スクリーン及び下部スクリーンを備え、前記上部スクリーンに、前記上部スクリーンの昇降用の昇降コードを挿通させる第１の挿通孔と、前記下部スクリーンの昇降用の昇降コードを挿通させる第２の挿通孔とが前後方向に並ぶ縦配列に形成されていることを特徴とする。
【００２２】
また、本発明のプリーツスクリーンにおいて、前記第１の挿通孔と前記第２の挿通孔のいずれか一方、又は双方は、前記スクリーンの前後方向における略中央部からオフセットした位置に形成されていることを特徴とする。
【００２３】
また、本発明のプリーツスクリーンにおいて、前記挿通孔は、丸孔状、前後方向に長尺な長孔状、又はスリット状のいずれかからなることを特徴とする。
【００２４】
また、本発明のプリーツスクリーンにおいて、前記昇降コードは、前記挿通孔が丸孔状で構成されるときは紐状コードで構成され、前記挿通孔が前後方向に長尺な長孔状で構成されるときは紐状コード又はテープ状コードで構成され、前記挿通孔がスリット状に構成されるときはテープ状コードで構成されていることを特徴とする。
【発明の効果】
【００２５】
本発明によれば、スクリーンに各昇降コードを挿通するために設けられる挿通孔の大きさを、各昇降コードの一本分以外に他のコード等が入るスペースが無くなるほど極小サイズとしているため、その挿通孔から生じる光漏れを低減させることができる。特に、昇降コードの断面積と挿通孔の面積の双方を小さくすることで、昇降時のスクリーンの移動ずれ幅が小さくなり、プリーツスクリーン全体として見栄えの良い状態を維持できるようになる。
【図面の簡単な説明】
【００２６】
【図１】本発明による第１実施形態のプリーツスクリーンの概略構成を示す正面図である。
【図２】（ａ），（ｂ）は、それぞれ本発明による第１実施形態のプリーツスクリーンの概略構成を部分的に示す正面図及び側面図である。
【図３】（ａ），（ｂ）は、それぞれ従来技術に基づく比較例のプリーツスクリーンの概略構成を、本発明による第１実施形態と対比可能に部分的に示す正面図及び側面図である。
【図４】（ａ），（ｂ）は、それぞれ本発明による第１実施形態のプリーツスクリーンにおける一実施例のスクリーン周辺（ピッチ保持コードの支持コードとスクリーンの生地とが接触状態）の拡大側面図と、従来技術に基づく比較例のプリーツスクリーンにおけるスクリーン周辺（ピッチ保持コードの支持コードとスクリーンの生地とが接触状態）の拡大側面図である。
【図５】（ａ），（ｂ）は、それぞれ本発明による第１実施形態のプリーツスクリーンにおける一実施例のスクリーン周辺（ピッチ保持コードの支持コードとスクリーンの生地とが非接触状態）の拡大側面図と、従来技術に基づく比較例のプリーツスクリーンにおけるスクリーン周辺（ピッチ保持コードの支持コードとスクリーンの生地とが非接触状態）の拡大側面図である。
【図６】本発明による第２実施形態のプリーツスクリーンの概略構成を示す正面図である。
【図７】（ａ），（ｂ）は、それぞれ本発明による第２実施形態のプリーツスクリーンの概略構成を部分的に示す正面図及び側面図である。
【図８】（ａ），（ｂ）は、それぞれ本発明による第２実施形態のプリーツスクリーンにおける一実施例のスクリーン周辺の概略的な拡大側面図と、更なる変形例のスクリーン周辺の概略的な拡大側面図である。
【図９】（ａ），（ｂ）は、それぞれ従来技術に基づく比較例のプリーツスクリーンの概略構成を、本発明による第２実施形態と対比可能に部分的に示す正面図及び側面図である。
【図１０】（ａ），（ｂ）は、それぞれ本発明による第２実施形態のプリーツスクリーンにおける一実施例の上部スクリーン周辺の拡大側面図（ピッチ保持コードの支持コードと上部スクリーンの生地とが接触状態）と、従来技術に基づく比較例のプリーツスクリーンにおける上部スクリーン周辺（ピッチ保持コードの支持コードと上部スクリーンの生地とが接触状態）の拡大側面図である。
【図１１】（ａ），（ｂ）は、それぞれ本発明による第２実施形態のプリーツスクリーンにおける一実施例の上部スクリーン周辺（ピッチ保持コードの支持コードと上部スクリーンの生地とが非接触状態）の拡大側面図と、従来技術に基づく比較例のプリーツスクリーンにおける上部スクリーン周辺（ピッチ保持コードの支持コードと上部スクリーンの生地とが非接触状態）の拡大側面図である。
【図１２】（ａ），（ｂ），（ｃ）は、それぞれ本発明による第２実施形態のプリーツスクリーンにおける変形例の上部スクリーン周辺（ピッチ保持コードの支持コードと上部スクリーンの生地とが非接触状態）の拡大側面図である。
【図１３】（ａ），（ｂ）は、それぞれ本発明による第３実施形態のプリーツスクリーンにおける一実施例のスクリーン周辺の拡大側面図と、その変形例のスクリーン周辺の拡大側面図である。
【図１４】（ａ），（ｂ）は、それぞれ本発明による第４実施形態のプリーツスクリーンにおける一実施例のスクリーン周辺の拡大側面図と、その変形例のスクリーン周辺の拡大側面図である。
【図１５】（ａ），（ｂ）は、それぞれ本発明による第５実施形態のプリーツスクリーンにおける一実施例のスクリーン周辺の拡大側面図と、その変形例のスクリーン周辺の拡大側面図である。
【図１６】（ａ），（ｂ）は、それぞれ本発明による第５実施形態のプリーツスクリーンにおける一実施例のスクリーン周辺の概略的な拡大側面図と、更なる変形例のスクリーン周辺の概略的な拡大側面図である。
【図１７】本発明による第１乃至第５実施形態のプリーツスクリーンに適用可能な変形例のスクリーン周辺の拡大斜視図である。
【図１８】本発明による第１乃至第５実施形態のプリーツスクリーンに適用可能な更なる変形例のスクリーン周辺の拡大斜視図である。
【図１９】本発明による第１乃至第５実施形態のプリーツスクリーンに適用可能な更なる変形例のスクリーン周辺の拡大斜視図である。
【発明を実施するための形態】
【００２７】
以下、図面を参照して、本発明による各実施形態のプリーツスクリーンを説明する。尚、本願明細書中、図１に示すプリーツスクリーンの正面図に対して、図示上方及び図示下方をスクリーンの吊り下げ方向に準じてそれぞれ上方向（又は上側）及び下方向（又は下側）と定義し、図示左方向をプリーツスクリーンの左側、及び、図示右方向をプリーツスクリーンの右側と定義して説明する。また、図１の正面図を視認する側を前側（室内側）とし、その反対側を後側（室外側）とする。
【００２８】
〔第１実施形態〕
図１は、本発明による第１実施形態のプリーツスクリーンの概略構成を示す正面図である。第１実施形態のプリーツスクリーンは、上下方向に折り曲げ可能としたスクリーン６の上縁部がヘッドボックス１から吊下支持され、スクリーン６の下縁部にはボトムレール７が取着され、ボトムレール７は昇降コード８によって支持される。ヘッドボックス１は、ブラケット２を介して天井面等の取付面に固定される。
【００２９】
ヘッドボックス１の一端部にはそれぞれ操作コード９が吊下支持される。操作コード９は、ボトムレール７を昇降するための複数本（本例では２本）の昇降コード３をヘッドボックス１のコード導出口１ａから引出し、或いはヘッドボックス１に引き込ませる操作を行うものである。
【００３０】
各昇降コード３の一端はコードイコライザ８を介して操作コード９に接続され、各昇降コード３の他端はヘッドボックス１に設けられたストッパー装置（図示せず）を介してヘッドボックス１内を案内され、ヘッドボックス１内で適所に配設される滑車１０ａを支持する支持部材１０（図２（ｂ）参照）を介して下方へと転向される。そして、下方へと転向された各昇降コード３の他端は、スクリーン６に設けられる挿通孔４に挿通されることで当該スクリーン６を貫通して、ボトムレール７に接続される。
【００３１】
従って、操作コード９を操作して昇降コード３をヘッドボックス１から引き出せば、ボトムレール７が引き上げられ、操作コード９を手放して当該ストッパー装置のロックを作動させれば昇降コード３のヘッドボックス１内への引き込みを阻止して、ボトムレール７を所望位置に吊下支持させることができる。
【００３２】
また、操作コード９を操作して、僅かに昇降コード３をヘッドボックス１から引き出し当該ストッパー装置のロックを解除させた後、操作コード９を手放すことで、昇降コード３をヘッドボックス１１内に引き込ませ、ボトムレール７の重量によりボトムレール７を下降させることができる。
【００３３】
尚、昇降コード３の後方、即ち室外側において、ヘッドボックス１からピッチ保持コード１１が垂下され（図２（ｂ）参照）、ボトムレール７に取着される。このピッチ保持コード１１に等間隔に多数設けられた環状の支持コード１１ａには、昇降コード３が挿通されている。そして、ボトムレール７を下降させてスクリーン６を引き伸ばすとき、スクリーン６が支持コード１１ａに支持されて、スクリーン６の折り目がほぼ等間隔に保持されるようになっている。
【００３４】
ところで、図１に示す第１実施形態のプリーツスクリーンでは、スクリーン６に各昇降コード３を挿通するために設けられる挿通孔４の大きさを、各昇降コード３の一本分以外に他のコード等が入るスペースが無くなるほど極小サイズとしている。これによってその挿通孔４から生じる光漏れを低減させるよう構成している。
【００３５】
更に、第１実施形態のプリーツスクリーンでは、昇降コード３の断面積と挿通孔４の面積の双方を従来技法よりも小さくしている。これによって、昇降時のスクリーン６の移動が好ましく上下方向へと規制されて昇降時のスクリーン６の移動ずれ幅（例えば左右方向のずれ）が小さくなり、プリーツスクリーン全体として見栄えの良い状態を維持できるようにしている。
【００３６】
より具体的に、図２乃至図５を参照しながら、比較例と対比して、第１実施形態のプリーツスクリーンのスクリーン周辺の構成を説明する。図２（ａ），（ｂ）は、それぞれ本発明による第１実施形態のプリーツスクリーンの概略構成を部分的に示す正面図及び側面図である。一方、図３（ａ），（ｂ）には、本発明による第１実施形態と対比するための従来技術に基づく比較例を示している。そして、図４及び図５は、それぞれ本発明による第１実施形態の構成と、その比較例の構成とを対比するスクリーン周辺の拡大側面図を示している。
【００３７】
まず、図２（ａ）に示すように、本発明による第１実施形態のプリーツスクリーンでは、折り曲げ可能なスクリーン６が引き伸ばされた状態ではスクリーン６が水平から概ね４５°で傾斜し、挿通孔４の大きさを孔径Ｄの丸孔で構成したスクリーン６を生地面視すると（図示破線丸内）、丸状断面を有するコード径（断面径）ｄの昇降コード３は、短径ｄ１（＝コード径ｄ）と長径ｄ２（≒ｄ×√２）の楕円断面状になる。そして、昇降コード３と挿通孔４との間の隙間が光漏れの要因となるが、本発明による第１実施形態のプリーツスクリーンでは、その隙間が従来技術に比べて小さいものとなっている。これによってその挿通孔４から生じる光漏れを低減させるよう構成している。また、本発明による第１実施形態のプリーツスクリーンでは、図２（ｂ）に示すように、コード径（断面径）ｄの昇降コード３が、スクリーン６の前後方向幅の略中央部に設けられている各挿通孔４を経て挿通されることで、スクリーン６に対し昇降コード３を貫通させる構成となっている。
【００３８】
一方、図３（ａ）に示すように、従来技術に基づく比較例のプリーツスクリーンでは、同じく折り曲げ可能なスクリーン６が引き伸ばされた状態ではスクリーン６が水平から概ね４５°で傾斜し、挿通孔４の大きさを孔径Ｄ’の丸孔で構成したスクリーン６を生地面視すると（図示破線丸内）、丸状断面を有するコード径（断面径）ｄ’の昇降コード３は、短径ｄ１’（＝コード径ｄ’）と長径ｄ２’（≒ｄ’×√２）の楕円断面状になる。そして、昇降コード３と挿通孔４との間の隙間が光漏れの要因となるが、この従来技法に基づく比較例では、図２に示す本発明による第１実施形態のプリーツスクリーンと比較して、その隙間が大きいものになっていることが分かる。また、図３（ａ）に示す比較例においても、コード径（断面径）ｄ’の昇降コード３が、スクリーン６の前後方向幅の略中央部に設けられている各挿通孔４を経て挿通されることで、スクリーン６に対し昇降コード３を貫通させる構成となっている。
【００３９】
ところで、ピッチ保持コード１１を利用するプリーツスクリーンでは、ピッチ保持コード１１の支持コード１１ａとスクリーン６の生地とが接触する接触状態と、接触しない非接触状態の二状態がある。そこで、図４には、ピッチ保持コード１１の支持コード１１ａがスクリーン６の室外側折り目の位置（図示“接触点”）で接触する接触状態にあるときの本発明による第１実施形態の構成と、その比較例の構成とを対比するスクリーン周辺の拡大側面図を示している。また、図５では、ピッチ保持コード１１の支持コード１１ａがスクリーン６の室外側折り目の位置で接触していない非接触状態にあるときの本発明による第１実施形態の構成と、その比較例の構成とを対比するスクリーン周辺の拡大側面図を示している。
【００４０】
このとき、コード径（断面径）ｄ（図２（ａ）に示す生地面視の短径ｄ１に等しい）の昇降コード３を孔径Ｄの挿通孔４に挿通する本発明に係る構成では、図４（ａ）及び図５（ａ）に示すように、ピッチ保持コード１１の支持コード１１ａとスクリーン６の生地（生地厚ｓｄ）とが接触する状態であるか否かに関わらず、挿通孔４と昇降コード３との間の前後方向の隙間を、コード断面として短径ｐｄ１×長径ｐｄ２を持つピッチ保持コード１１に等間隔に多数設けられる環状の支持コード１１ａ（丸状断面径ｋｄ）の先端（屈曲部）の屈曲径ｂｄより小さいものとしている。更に、本発明に係る挿通孔４の孔径Ｄは、ピッチ保持コード１１のコード断面としての長径ｐｄ２より小さいものとしている。また、挿通孔４と昇降コード３との間の前後方向の隙間を、折り曲げ可能とされるピッチ保持コード１１のコード断面としての短径ｐｄ１の２倍よりも小さいものとしている。また、本発明に係る昇降コード３のコード径ｄは、ピッチ保持コード１１のコード断面としての短径ｐｄ１と長径ｐｄ２のいずれに対しても小径化させる。その上で、光漏れの抑制効果に関してスクリーン６が水平から概ね４５°で傾斜した状態で対比すればよく、本発明に係る挿通孔４の孔径Ｄは、スクリーン６が図４（ａ）及び図５（ａ）に示すように水平から４５°傾斜時に垂直方向又は水平方向に投影した径（４５°投影径Ｄａ）を昇降コード３のコード径ｄの２倍以下としている。
【００４１】
即ち、このような構成により、昇降コード３を挿通する挿通孔４から生じる光漏れの抑制を図っている。
【００４２】
（実施例）
より具体的な好適値として、昇降コード３のコード径ｄをφ０．７ｍｍとし、挿通孔４の孔径Ｄをφ１．８ｍｍとしている。ピッチ保持コード１１のコード断面としての短径ｐｄ１×長径ｐｄ２はそれぞれ従来から用いられる０．８×２．０ｍｍであり、丸状断面を有する環状の支持コード１１ａのコード径（断面径）ｋｄはφ０．２ｍｍであり、支持コード１１ａの先端（屈曲部）の屈曲径ｂｄは、上記接触状態にあるときで略１．５ｍｍ、非接触状態にあるときで略３ｍｍである。尚、スクリーン６の生地厚ｓｄは、従来から用いられる略０．２ｍｍである。
【００４３】
本実施例によれば、挿通孔４の孔径Ｄ（φ１．８ｍｍ）に、コード径ｄとしてφ０．７ｍｍの昇降コード３が挿通された状態では、図２（ａ）に示す生地面視に示すように、挿通孔４と昇降コード３との間の隙間は、前後方向で略０．８１ｍｍ（＝Ｄ（１．８ｍｍ）−ｄ２（０．７×√２））〜１．１０ｍｍ（＝Ｄ（１．８ｍｍ）−ｄ１（０．７））程度となり、その後方で延在する環状の支持コード１１ａの先端（屈曲部）の屈曲径ｂｄとして上記接触状態にあるときの略１．５ｍｍ、非接触状態にあるときの略３ｍｍのいずれに対しても小さくなる。このため、挿通孔４から生じる光漏れの抑制を図りつつ、支持コード１１ａが如何なる状況でも挿通孔４へ侵入不能になり（引っ掛かることがなくなり）、即ち、スクリーン６を畳み込み、或いは引き延ばすことで昇降する際の動作を阻害することが一切無くなる。
【００４４】
また、挿通孔４の孔径Ｄ（φ１．８ｍｍ）は、ピッチ保持コード１１のコード断面としての長径ｐｄ２（２．０ｍｍ）よりも小さいものとなっている。そして、挿通孔４の孔径Ｄ（φ１．８ｍｍ）に、コード径ｄとしてφ０．７ｍｍの昇降コード３が挿通された状態では、挿通孔４と昇降コード３との間の隙間は、上述したように、前後方向で略０．８１ｍｍ〜１．１０ｍｍ程度となり、折り曲げ可能とされるピッチ保持コード１１のコード断面としての短径ｐｄ１（０．８ｍｍ）の２倍よりも小さいものとなっている。このため、挿通孔４から生じる光漏れの抑制を図りつつ、折り曲げ可能とされるピッチ保持コード１１が如何なる状況でも挿通孔４へ侵入不能になり（引っ掛かることがなくなり）、即ち、スクリーン６を畳み込み、或いは引き延ばすことで昇降する際の動作を阻害することが一切無くなる。
【００４５】
このように、挿通孔４は、挿通対象の昇降コード３以外のコード（本例ではピッチ保持コード１１やその支持コード１１ａ）が侵入不能な大きさで形成されている。
【００４６】
また、挿通孔４の孔径Ｄ（φ１．８ｍｍ）は、昇降コード３のコード径ｄより大きいが、挿通孔４の当該４５°投影径Ｄａ（１．８／√２≒１．２７ｍｍ）が昇降コード３のコード径ｄ（φ０．７ｍｍ）の２倍以下となるようにしているため、昇降コード３のコード径ｄを小さくするほど小さくなる。換言すれば、本発明に係る昇降コード３のコード径ｄは、ピッチ保持コード１１のコード断面としての短径ｐｄ１と長径ｐｄ２のいずれに対しても小径化させることができる。このように、挿通孔４から生じる光漏れの抑制を図りつつ、昇降コード３の挿通孔４に対する挿通性を維持しているため、昇降コード３の断面積と挿通孔４の面積の双方を従来技法よりも小さくしている。これによって、昇降時のスクリーン６の移動が好ましく上下方向へと規制されて昇降時のスクリーン６の移動ずれ幅（例えば左右方向のずれ）が小さくなり、プリーツスクリーン全体として見栄えの良い状態を維持できる。
【００４７】
（比較例）
一方、図４（ｂ）及び図５（ｂ）に示すように、比較例に係る構成では、昇降コード３のコード径ｄ’ （図３（ａ）に示す生地面視の短径ｄ１’に等しい）をφ１．２ｍｍとし、挿通孔４の孔径Ｄ’をφ３．５ｍｍとしている。ピッチ保持コード１１のコード断面としての短径ｐｄ１×長径ｐｄ２はそれぞれ０．８×２．０ｍｍであり、丸状断面を有する環状の支持コード１１ａのコード径（断面径）ｋｄはφ０．２ｍｍであり、支持コード１１ａの先端（屈曲部）の屈曲径ｂｄは、上記接触状態にあるときで略１．５ｍｍ、非接触状態にあるときで略３ｍｍである。尚、スクリーン６の生地厚ｓｄは、略０．２ｍｍである。
【００４８】
従って、比較例に係る挿通孔４の孔径Ｄ’（φ３．５ｍｍ）に、コード径ｄとしてφ１．２ｍｍの昇降コード３が挿通された状態では、図３（ａ）に示す生地面視に示すように、挿通孔４と昇降コード３との間の隙間は、前後方向で略１．８０ｍｍ（＝Ｄ’（３．５ｍｍ）−ｄ２’（１．２×√２））〜２．３０ｍｍ（＝Ｄ’（３．５ｍｍ）−ｄ１’（１．２））程度となり、その後方で延在する環状の支持コード１１ａの先端（屈曲部）の屈曲径ｂｄとして上記接触状態にあるときの略１．５ｍｍより大きいものとなっている。このため、挿通孔４から生じる光漏れが大きくなり、支持コード１１ａが挿通孔４へ侵入可能になり（引っ掛かることもあり）、即ち、スクリーン６を畳み込み、或いは引き延ばすことで昇降する際の動作を阻害することもある。
【００４９】
また、比較例に係る挿通孔４の孔径Ｄ’（φ３．５ｍｍ）は、ピッチ保持コード１１のコード断面としての長径ｐｄ２（２．０ｍｍ）よりも大きいものとなっている。そして、挿通孔４の孔径Ｄ’（φ３．５ｍｍ）に、コード径ｄとしてφ１．２ｍｍの昇降コード３が挿通された状態では、挿通孔４と昇降コード３との間の隙間は、上述したように、前後方向で略１．８０ｍｍ〜２．３０ｍｍ程度となり、折り曲げ可能とされるピッチ保持コード１１のコード断面としての短径ｐｄ１（０．８ｍｍ）の２倍よりも大きいものとなっている。このため、挿通孔４から生じる光漏れが大きくなり、折り曲げ可能とされるピッチ保持コード１１が挿通孔４へ侵入可能になり（引っ掛かることもあり）、即ち、スクリーン６を畳み込み、或いは引き延ばすことで昇降する際の動作を阻害することもある。
【００５０】
更に、比較例に係る挿通孔４の孔径Ｄ’（φ３．５ｍｍ）は、図４（ｂ）及び図５（ｂ）に示すように、挿通孔４の当該４５°投影径Ｄａ’（３．５／√２≒２．４７ｍｍ）が昇降コード３のコード径ｄ’（φ１．２ｍｍ）の２倍より大きくなっているため、挿通孔４から生じる光漏れが大きくなり、昇降コード３の断面積と挿通孔４の面積の双方が本発明に係る実施例よりも大きく、昇降時のスクリーン６の移動ずれ幅（例えば左右方向のずれ）が相対的に大きくなっている。
【００５１】
以上のように、図１に示す第１実施形態のプリーツスクリーンでは、スクリーン６に各昇降コード３を挿通するために設けられる挿通孔４の大きさを、各昇降コード３の一本分以外に他のコード等が入るスペースが無くなるほど極小サイズとしているため、昇降性能を阻害することなく、むしろ向上させて、その挿通孔４から生じる光漏れを低減させることができる。
【００５２】
更に、第１実施形態のプリーツスクリーンでは、昇降コード３の断面積と挿通孔４の面積の双方を従来技法よりも小さくしているため、昇降時のスクリーン６の移動が好ましく上下方向へと規制されて昇降時のスクリーン６の移動ずれ幅（例えば左右方向のずれ）が小さくなり、プリーツスクリーン全体として見栄えの良い状態を維持できるようになる。
【００５３】
〔第２実施形態〕
次に、図６及び図７を参照して、上部スクリーン６Ｕと下部スクリーン６Ｌを持つ第２実施形態のプリーツスクリーンを説明する。図６は、本発明による第２実施形態のプリーツスクリーンの概略構成を示す正面図である。図７（ａ），（ｂ）は、それぞれ本発明による第２実施形態のプリーツスクリーンの概略構成を部分的に示す正面図及び側面図である。尚、第１実施形態と同様な構成要素には同一の参照番号を付している。
【００５４】
第２実施形態のプリーツスクリーンは、ヘッドボックス１からジグザグ状に折り曲げ可能とした上部スクリーン６Ｕが吊下支持され、そのスクリーン６Ｕの下端は中間レール５の上面に取着される。
【００５５】
中間レール５の下面には、同じくジグザグ状に折り曲げ可能とした下部スクリーン６Ｌの上端が取着され、その下部スクリーン６Ｌの下端は、ボトムレール７に取着される。
【００５６】
ヘッドボックス１の両端部にはそれぞれ第１及び第２の操作コード９Ｌ，９Ｕが吊下支持される。第１の操作コード９Ｌは、ボトムレール７を昇降するための複数本（本例では２本）の下側昇降コード３Ｌをヘッドボックス１のコード導出口１ａから引出し、或いはヘッドボックス１に引き込ませる操作を行うものである。第２の操作コード９Ｕは、中間レール５を昇降するための複数本（本例では２本）の上側昇降コード３Ｕをヘッドボックス１のコード導出口１ｂから引出し、或いはヘッドボックス１に引き込ませる操作を行うものである。
【００５７】
各下側昇降コード３Ｌの一端がコードイコライザ８Ｌを介して第１の操作コード９Ｌに接続され、各下側昇降コード３Ｌの他端はヘッドボックス１に設けられたストッパー装置（図示せず）を介してヘッドボックス１内を案内され、ヘッドボックス１内で適所に配設される滑車１０ａを支持する支持部材１０（図７（ｂ）参照）を介して下方へと転向される。そして、下方へと転向された各下側昇降コード３Ｌの他端は、ヘッドボックス１から、上部スクリーン６Ｕに設けられる挿通孔４Ｕに挿通されることなく中間レール５の背面を経るよう迂回させて当該上部スクリーン６Ｕの背面を垂下して、下部スクリーン６Ｌに設けられる挿通孔４Ｌに挿通されることで下部スクリーン６Ｌを貫通して、ボトムレール７に接続される。
【００５８】
従って、第１の操作コード９Ｌを操作して下側昇降コード３Ｌをヘッドボックス１から引き出せば、ボトムレール７が引き上げられ、第１の操作コード９Ｌを手放して当該ストッパー装置のロックを作動させれば下側昇降コード３Ｌのヘッドボックス１内への引き込みを阻止して、ボトムレール７を所望位置に吊下支持させることができる。
【００５９】
また、第１の操作コード９Ｌを操作して、僅かに下側昇降コード３Ｌをヘッドボックス１から引き出し当該ストッパー装置のロックを解除させた後、第１の操作コード９Ｌを手放すことで、下側昇降コード３Ｌをヘッドボックス１内に引き込ませ、ボトムレール７の重量によりボトムレール７を下降させることができる。
【００６０】
各上側昇降コード３Ｕの一端がコードイコライザ８Ｕを介して第２の操作コード９Ｕに接続され、各上側昇降コード３Ｕの他端はヘッドボックス１に設けられたストッパー装置（図示せず）を介してヘッドボックス１内を案内され、ヘッドボックス１内で適所に配設される滑車を支持する支持部材を介して下方へと転向される。そして、下方へと転向された各上側昇降コード３Ｕの他端は、上部スクリーン６Ｕに設けられる挿通孔４Ｕに挿通されることで上部スクリーン６Ｕを貫通して、中間レール５に接続される。
【００６１】
従って、第２の操作コード９Ｕを操作して上側昇降コード３Ｕをヘッドボックス１から引き出せば、中間レール５が引き上げられ、第２の操作コード９Ｕを手放して当該ストッパー装置のロックを作動させれば上側昇降コード３Ｕのヘッドボックス１内への引き込みを阻止して、中間レール５を所望位置に吊下支持させることができる。
【００６２】
また、第２の操作コード９Ｕを操作して、僅かに上側昇降コード３Ｕをヘッドボックス１から引き出し当該ストッパー装置のロックを解除させた後、第２の操作コード９Ｕを手放すことで、上側昇降コード３Ｕをヘッドボックス１内に引き込ませ、中間レール５の重量により中間レール５を下降させることができる。
【００６３】
このように構成された第２実施形態のプリーツスクリーンでは、中間レール５をヘッドボックス１の直下まで引き上げて、ヘッドボックス１と中間レール５との間に上部スクリーン６Ｕを折り畳んだ状態で、ボトムレール７を下降させれば、ヘッドボックス１から下部スクリーン６Ｌが吊下支持された状態となる。
【００６４】
また、ボトムレール７を下限まで下降させた状態で、中間レール５をボトムレール７上まで下降させると、中間レール５とボトムレール７との間で下部スクリーン６Ｌが折り畳まれ、ヘッドボックス１と中間レール５との間で上部スクリーン６Ｕが吊下支持された状態となる。従って、例えば上部スクリーン６Ｕを採光性生地とし、下部スクリーン６Ｌを遮光性生地とすれば、採光量調節の自由度を高めることができる。
【００６５】
そして、ボトムレール７を下限まで下降させ、中間レール５をヘッドボックス１とボトムレール７との中間に位置させれば、採光性生地とした上部スクリーン６Ｕを透過した柔らかな光を採光することができる。
【００６６】
また、ボトムレール７を上限まで引き上げて開放する場合には、中間レール５を引き上げることなく、第１の操作コード９Ｌを操作してボトムレール７を引き上げ、ヘッドボックス１とボトムレール７との間に上部スクリーン６Ｕと下部スクリーン６Ｌとを折り畳んだ状態とすることができる。
【００６７】
尚、図７（ｂ）に示すように、上側昇降コード３Ｕの後方、即ち室外側において、ヘッドボックス１からピッチ保持コード１１が垂下され中間レール５に取着されるとともに、中間レール５からピッチ保持コード１２が垂下されボトムレール７に取着される。
【００６８】
これらのピッチ保持コード１１，１２の各々にそれぞれ等間隔に多数設けられた環状の支持コード１１ａ，１２ａには、それぞれ上側昇降コード３Ｕ及び下側昇降コード３Ｌが挿通されている。そして、中間レール５を下降させて上部スクリーン６Ｕを引き伸ばすとき、上部スクリーン６Ｕが支持コード１１ａに支持されて、上部スクリーン６Ｕの折り目がほぼ等間隔に保持される。同様に、ボトムレール７を下降させて下部スクリーン６Ｌを引き伸ばすとき、下部スクリーン６Ｌが支持コード１２ａに支持されて、下部スクリーン６Ｌの折り目がほぼ等間隔に保持される。
【００６９】
ところで、図６に示す第２実施形態のプリーツスクリーンでは、図７（ｂ）に示すように、下側昇降コード３Ｌが、上部スクリーン６Ｕに設けられる挿通孔４Ｕに挿通されることなく、当該上部スクリーン６Ｕの背面を垂下して、下部スクリーン６Ｌに設けられる挿通孔４Ｌに挿通されることで下部スクリーン６Ｌを貫通して、ボトムレール７に接続されている。
【００７０】
即ち、上部スクリーン６Ｕには、図７（ａ），（ｂ）に示すように、中間レール５に端部が接続される上側昇降コード３Ｕを挿通するための挿通孔４Ｕのみが設けられている。これにより、上部スクリーン６Ｕでは、下側昇降コード３Ｌを挿通するための挿通孔の配設を不要として光漏れを抑制し、更に、図７（ａ）に示す正面視で理解されるように、上側昇降コード３Ｕと下側昇降コード３Ｌが１本の直線状になるよう配設して美観を高めている。
【００７１】
尚、本実施形態の例では、下側昇降コード３Ｌについて、図８（ａ）に示すように、上部スクリーン６Ｕに設けられる挿通孔４Ｕに挿通されることなく当該上部スクリーン６Ｕの背面を垂下させる構成としているが、図８（ｂ）に示すように、上部スクリーン６Ｕに設けられる挿通孔４Ｕに挿通されることなく当該上部スクリーン６Ｕの前面を垂下させる構成とし、正面視で、上側昇降コード３Ｕと下側昇降コード３Ｌが１本の直線状になるよう配設して美観を高めることができる。
【００７２】
更に、図６に示す第２実施形態のプリーツスクリーンでは、図７（ａ）に示すように、上部スクリーン６Ｕ及び下部スクリーン６Ｌの各々に、それぞれの上側昇降コード３Ｕ及び下側昇降コード３Ｌを挿通するために設けられる挿通孔４Ｕ，４Ｌの大きさを、上側昇降コード３Ｕ及び下側昇降コード３Ｌの各々一本分以外に他のコード等が入るスペースが無くなるほど極小サイズとしている。これによってその挿通孔４Ｕ，４Ｌから生じる光漏れを低減させるよう構成している。
【００７３】
更に、第２実施形態のプリーツスクリーンでは、上側昇降コード３Ｕ及び下側昇降コード３Ｌの各々の断面積と挿通孔４Ｕ，４Ｌの各面積の双方を従来技法よりも小さくしている。これによって、昇降時の上部スクリーン６Ｕ及び下部スクリーン６Ｌの移動が好ましく上下方向へと規制されて昇降時の上部スクリーン６Ｕ及び下部スクリーン６Ｌの移動ずれ幅（例えば左右方向のずれ）が小さくなり、プリーツスクリーン全体として見栄えの良い状態を維持できるようにしている。
【００７４】
より具体的に、図７、図９乃至図１１を参照しながら、比較例と対比して、第２実施形態のプリーツスクリーンのスクリーン周辺の構成を説明する。第２実施形態のプリーツスクリーンのスクリーン周辺の構成は、上述した図７に示す通りであり、一方、図９（ａ），（ｂ）には、本発明による第２実施形態と対比するための従来技術に基づく比較例を示している。そして、図１０及び図１１は、それぞれ本発明による第２実施形態の構成と、その比較例の構成とを対比する上部スクリーン周辺の拡大側面図を示している。
【００７５】
まず、図７（ａ）を参照するに、本発明による第２実施形態のプリーツスクリーンでは、折り曲げ可能な上部スクリーン６Ｕ（下部スクリーン６Ｌも同様）が引き伸ばされた状態では上部スクリーン６Ｕ（下部スクリーン６Ｌも同様）が水平から概ね４５°で傾斜し、挿通孔４Ｕの大きさを孔径Ｄの丸孔で構成した上部スクリーン６Ｕを生地面視すると（図示破線丸内）、同じく、挿通孔４Ｌの大きさを孔径Ｄの丸孔で構成した下部スクリーン６Ｌを生地面視すると（図示破線丸内）、丸状断面を有するコード径（断面径）ｄの昇降コード３は、短径ｄ１（＝コード径ｄ）と長径ｄ２（≒ｄ×√２）の楕円断面状になる。そして、上側昇降コード３Ｕと挿通孔４Ｕとの間の隙間、或いは下側昇降コード３Ｌと挿通孔４Ｌとの間の隙間が光漏れの要因となるが、本発明による第２実施形態のプリーツスクリーンでは、その隙間が従来技術に比べて小さいものとなっている。これによってその挿通孔４Ｕ，４Ｌから生じる光漏れを低減させるよう構成している。また、本発明による第２実施形態のプリーツスクリーンでは、上部スクリーン６Ｕ及び下部スクリーン６Ｌの前後方向幅の略中央部に設けられているそれぞれの挿通孔４Ｕ，４Ｌを経て、図７（ｂ）に示すように、上部スクリーン６Ｕに対しては上側昇降コード３Ｕのみを貫通させ、下部スクリーン６Ｌに対しては下側昇降コード３Ｌのみを貫通させる構成となっている。本例では、中間レール５の前後方向幅（図示する幅２×ａ）のほぼ中央で上側昇降コード３Ｕ及び下側昇降コード３Ｌが垂下する構成となっている。
【００７６】
一方、図９（ａ）に示すように、従来技術に基づく比較例のプリーツスクリーンでは、同じく折り曲げ可能な上部スクリーン６Ｕ（下部スクリーン６Ｌも同様）が引き伸ばされた状態では上部スクリーン６Ｕ（下部スクリーン６Ｌも同様）が水平から概ね４５°で傾斜し、生地面視として拡大視するように、コード径（断面径）ｄ’の上側昇降コード３Ｕ及び下側昇降コード３Ｌを挿通するための挿通孔４Ｕの大きさを孔径Ｄ’’の丸孔で構成し、コード径（断面径）ｄ’の下側昇降コード３Ｌを挿通する挿通孔４Ｌの大きさについては孔径Ｄ’の丸孔で構成している。ここで、挿通孔４Ｕ，４Ｌをそれぞれの孔径Ｄ’’，Ｄ’で構成した上部スクリーン６Ｕ及び下部スクリーン６Ｌをそれぞれ生地面視すると（図示破線丸内）、丸状断面を有するコード径（断面径）ｄ’の昇降コード３は、短径ｄ１’（＝コード径ｄ’）と長径ｄ２’（≒ｄ’×√２）の楕円断面状になる。そして、昇降コード３と挿通孔４との間の隙間が光漏れの要因となるが、この従来技法に基づく比較例では、図７に示す本発明による第２実施形態のプリーツスクリーンと比較して、その隙間が大きいものになっていることが分かる。この従来技法に基づく比較例では、上部スクリーン６Ｕの前後方向幅の略中央部に設けられている各挿通孔４Ｕを経て、図９（ｂ）に示すように、上部スクリーン６Ｕに対しては上側昇降コード３Ｕ及び下側昇降コード３Ｌの双方を貫通させ、下部スクリーン６Ｌに対しては下側昇降コード３Ｌのみを貫通させる構成となっている。本例では、中間レール５の前後方向幅（図示する幅２×ａ）のほぼ中央で上側昇降コード３Ｕ及び下側昇降コード３Ｌが垂下する構成となっている。このため、中間レール５の前後方向幅（図示する幅２×ａ）のほぼ中央部には、下側昇降コード３Ｌを貫通させる貫通路５ａが形成されている。
【００７７】
ところで、ピッチ保持コード１１，１２を利用するプリーツスクリーンでは、ピッチ保持コード１１の支持コード１１ａと上部スクリーン６Ｕの生地とが接触する接触状態と、接触しない非接触状態の二状態があり、同じくピッチ保持コード１２の支持コード１２ａと上部スクリーン６Ｌの生地とが接触する接触状態と、接触しない非接触状態の二状態がある。以下では、代表して上部スクリーン６Ｕについて説明する。図１０では、ピッチ保持コード１１の支持コード１１ａが上部スクリーン６Ｕの室外側折り目の位置（図示“接触点”）で接触する接触状態にあるときの本発明による第２実施形態の構成と、その比較例の構成とを対比する上部スクリーン６Ｕ周辺の拡大側面図を示している。また、図１１では、ピッチ保持コード１１の支持コード１１ａが上部スクリーン６Ｕの室外側折り目の位置で接触していない非接触状態にあるときの本発明による第２実施形態の構成と、その比較例の構成とを対比する上部スクリーン６Ｕ周辺の拡大側面図を示している。
【００７８】
このとき、本発明に係る第２実施形態の構成では、上部スクリーン６Ｕに対して、図１０（ａ）及び図１１（ａ）に示すように、コード径（断面径）ｄの上側昇降コード３Ｕのみを孔径Ｄの挿通孔４Ｕに挿通する構成であり、ピッチ保持コード１１の支持コード１１ａと上部スクリーン６Ｕの生地（生地厚ｓｄ）とが接触する状態であるか否かに関わらず、挿通孔４Ｕと上側昇降コード３Ｕとの間の前後方向の隙間を、コード断面として短径ｐｄ１×長径ｐｄ２を持つピッチ保持コード１１に等間隔に多数設けられる環状の支持コード１１ａ（丸状断面径ｋｄ）の先端（屈曲部）の屈曲径ｂｄより小さいものとしている。下部スクリーン６Ｌに対しても同様に、ピッチ保持コード１２の支持コード１２ａと下部スクリーン６Ｌの生地（生地厚ｓｄ）とが接触する状態であるか否かに関わらず、挿通孔４Ｌと上側昇降コード３Ｌとの間の前後方向の隙間を、コード断面として短径ｐｄ１×長径ｐｄ２を持つピッチ保持コード１２に等間隔に多数設けられる環状の支持コード１２ａ（丸状断面径ｋｄ）の先端（屈曲部）の屈曲径ｂｄより小さいものとしている。
【００７９】
更に、本発明に係る挿通孔４Ｕの孔径Ｄは、ピッチ保持コード１１のコード断面としての長径ｐｄ２より小さいものとしている。同様に、本発明に係る挿通孔４Ｌの孔径Ｄは、ピッチ保持コード１２のコード断面としての長径ｐｄ２より小さいものとしている。また、挿通孔４Ｕと上側昇降コード３Ｕとの間の前後方向の隙間を、折り曲げ可能とされるピッチ保持コード１１のコード断面としての短径ｐｄ１の２倍よりも小さいものとしている。同様に、挿通孔４Ｌと下側昇降コード３Ｌとの間の前後方向の隙間を、折り曲げ可能とされるピッチ保持コード１２のコード断面としての短径ｐｄ１の２倍よりも小さいものとしている。また、本発明に係る上側昇降コード３Ｕのコード径ｄは、ピッチ保持コード１１のコード断面としての短径ｐｄ１と長径ｐｄ２のいずれに対しても小径化させる。同じく、本発明に係る下側昇降コード３Ｌのコード径ｄは、ピッチ保持コード１２のコード断面としての短径ｐｄ１と長径ｐｄ２のいずれに対しても小径化させる。その上で、光漏れの抑制効果に関してスクリーン６が水平から概ね４５°で傾斜した状態で対比すればよく、本発明に係る挿通孔４Ｕ，４Ｌの孔径Ｄは、上部及び下部スクリーン６Ｕ，６Ｌが図１０（ａ）及び図１１（ａ）に示すように水平から４５°傾斜時に垂直方向又は水平方向に投影した径（４５°投影径Ｄａ）をそれぞれの上側及び下側昇降コード３Ｕ，３Ｌのコード径ｄの２倍以下としている。
【００８０】
本発明に係る第２実施形態の構成では、コード径（断面径）ｄの上側昇降コード３Ｌのみを孔径Ｄの挿通孔４Ｌに挿通する下部スクリーン６Ｌについても同様である。
【００８１】
即ち、このような構成により、上側昇降コード３Ｕを挿通する挿通孔４Ｕから生じる光漏れ、及び下側昇降コード３Ｌを挿通する挿通孔４Ｌから生じる光漏れの抑制を図っている。
【００８２】
（実施例）
代表して図１０（ａ）及び図１１（ａ）に示す上部スクリーン６Ｕの例におけるより具体的な好適値として、上部昇降コード３Ｕのコード径ｄをφ０．７ｍｍとし、挿通孔４Ｕの孔径Ｄをφ１．８ｍｍとしている。ピッチ保持コード１１のコード断面としての短径ｐｄ１×長径ｐｄ２はそれぞれ従来から用いられる０．８×２．０ｍｍであり、丸状断面を有する環状の支持コード１１ａのコード径（断面径）ｋｄはφ０．２ｍｍであり、支持コード１１ａの先端（屈曲部）の屈曲径ｂｄは、上記接触状態にあるときで略１．５ｍｍ、非接触状態にあるときで略３ｍｍである。尚、スクリーン６の生地厚ｓｄは、従来から用いられる略０．２ｍｍである。
【００８３】
尚、下部スクリーン６Ｌについても同様に、下部昇降コード３Ｌのコード径ｄをφ０．７ｍｍとし、挿通孔４Ｌの孔径Ｄをφ１．８ｍｍとすることができ、ピッチ保持コード１１のコード断面としての短径ｐｄ１×長径ｐｄ２はそれぞれ従来から用いられる０．８×２．０ｍｍであり、丸状断面を有する環状の支持コード１１ａのコード径（断面径）ｋｄはφ０．２ｍｍであり、支持コード１１ａの先端（屈曲部）の屈曲径ｂｄは、上記接触状態にあるときで略１．５ｍｍ、非接触状態にあるときで略３ｍｍである。尚、スクリーン６の生地厚ｓｄは、従来から用いられる略０．２ｍｍである。
【００８４】
本実施例によれば、挿通孔４Ｕの孔径Ｄ（φ１．８ｍｍ）に、コード径ｄとしてφ０．７ｍｍの上側昇降コード３Ｕが挿通された状態では、図７（ａ）に示す生地面視に示すように、挿通孔４Ｕと上側昇降コード３Ｕとの間の隙間は、前後方向で略０．８１ｍｍ（＝Ｄ（１．８ｍｍ）−ｄ２（０．７×√２））〜１．１０ｍｍ（＝Ｄ（１．８ｍｍ）−ｄ１（０．７））程度となり、その後方で延在する環状の支持コード１１ａの先端（屈曲部）の屈曲径ｂｄとして上記接触状態にあるときの略１．５ｍｍ、非接触状態にあるときの略３ｍｍのいずれに対しても小さくなる。このため、挿通孔４Ｕから生じる光漏れの抑制を図りつつ、支持コード１１ａが如何なる状況でも挿通孔４Ｕへ侵入不能になり（引っ掛かることがなくなり）、即ち、上部スクリーン６Ｕを畳み込み、或いは引き延ばすことで昇降する際の動作を阻害することが一切無くなる。
【００８５】
また、挿通孔４Ｕの孔径Ｄ（φ１．８ｍｍ）は、ピッチ保持コード１１のコード断面としての長径ｐｄ２（２．０ｍｍ）よりも小さいものとなっている。そして、挿通孔４Ｕの孔径Ｄ（φ１．８ｍｍ）に、コード径ｄとしてφ０．７ｍｍの上側昇降コード３Ｕが挿通された状態では、挿通孔４Ｕと上側昇降コード３Ｕとの間の隙間は、上述したように、前後方向で略０．８１ｍｍ〜１．１０ｍｍ程度となり、折り曲げ可能とされるピッチ保持コード１１のコード断面としての短径ｐｄ１（０．８ｍｍ）の２倍よりも小さいものとなっている。このため、挿通孔４Ｕから生じる光漏れの抑制を図りつつ、折り曲げ可能とされるピッチ保持コード１１が如何なる状況でも挿通孔４Ｕへ侵入不能になり（引っ掛かることがなくなり）、即ち、上部スクリーン６Ｕを畳み込み、或いは引き延ばすことで昇降する際の動作を阻害することが一切無くなる。
【００８６】
このように、挿通孔４Ｕは、挿通対象の上側昇降コード３Ｕ以外のコード（本例ではピッチ保持コード１１やその支持コード１１ａ）が侵入不能な大きさで形成されている。同様に、挿通孔４Ｌは、挿通対象の下側昇降コード３Ｌ以外のコード（本例ではピッチ保持コード１２やその支持コード１２ａ）が侵入不能な大きさで形成されている。
【００８７】
また、挿通孔４Ｕの孔径Ｄ（φ１．８ｍｍ）は、上側昇降コード３Ｕのコード径ｄより大きいが、挿通孔４Ｕの当該４５°投影径Ｄａ（１．８／√２≒１．２７ｍｍ）が上側昇降コード３Ｕのコード径ｄ（φ０．７ｍｍ）の２倍以下となるようにしているため、上側昇降コード３Ｕのコード径ｄを小さくするほど小さくなる。換言すれば、本発明に係る上側昇降コード３Ｕのコード径ｄは、ピッチ保持コード１１のコード断面としての短径ｐｄ１と長径ｐｄ２のいずれに対しても小径化させることができる。このように、挿通孔４Ｕから生じる光漏れの抑制を図りつつ、上側昇降コード３Ｕの挿通孔４Ｕに対する挿通性を維持しているため、上側昇降コード３Ｕの断面積と挿通孔４Ｕの面積の双方を従来技法よりも小さくしている。これによって、昇降時の上部スクリーン６Ｕの移動が好ましく上下方向へと規制されて昇降時の上部スクリーン６Ｕの移動ずれ幅（例えば左右方向のずれ）が小さくなり、プリーツスクリーン全体として見栄えの良い状態を維持できる。これは、下側昇降コード３Ｌ及び挿通孔４Ｌについても同様である。
【００８８】
（比較例）
一方、図１０（ｂ）及び図１１（ｂ）に示すように、比較例に係る構成では、上側昇降コード３Ｕ及び下側昇降コード３Ｌの各コード径ｄ’（図９（ａ）に示す生地面視の短径ｄ１’に等しい）をφ１．２ｍｍとし、挿通孔４Ｕの孔径Ｄ’’をφ５．０ｍｍ、挿通孔４Ｌの孔径Ｄ’をφ３．５ｍｍとしている。ピッチ保持コード１１のコード断面としての短径ｐｄ１×長径ｐｄ２はそれぞれ０．８×２．０ｍｍであり、丸状断面を有する環状の支持コード１１ａのコード径（断面径）ｋｄはφ０．２ｍｍであり、支持コード１１ａの先端（屈曲部）の屈曲径ｂｄは、上記接触状態にあるときで略１．５ｍｍ、非接触状態にあるときで略３ｍｍである。尚、スクリーン６の生地厚ｓｄは、略０．２ｍｍである。尚、比較例に係る構成において、支持コード１１ａには下側昇降コード３Ｌのみが係合挿通される。
【００８９】
従って、比較例に係る挿通孔４Ｕの孔径Ｄ’’（φ５．０ｍｍ）に、コード径ｄとしてφ１．２ｍｍの上側昇降コード３Ｕ及び下側昇降コード３Ｌが挿通された状態では、図９（ａ）に示す生地面視に示すように、挿通孔４Ｕと上側及び下側昇降コード３Ｕ，３Ｌとの間の隙間は、前後方向で略１．６１ｍｍ（＝Ｄ’（５．０ｍｍ）−２×ｄ２’（２×１．２×√２））〜２．６０ｍｍ（＝Ｄ’（５．０ｍｍ）−２×ｄ１’（２×１．２））程度となり、その後方で延在する環状の支持コード１１ａの先端（屈曲部）の屈曲径ｂｄとして上記接触状態にあるときの略１．５ｍｍより大きいものとなっている。
また、比較例に係る挿通孔４Ｌの孔径Ｄ’（φ３．５ｍｍ）に、コード径ｄとしてφ１．２ｍｍの下側昇降コード３Ｌが挿通された状態では、図９（ａ）に示す生地面視に示すように、挿通孔４Ｌと下側昇降コード３Ｌとの間の隙間は、前後方向で略１．８０ｍｍ（＝Ｄ’（３．５ｍｍ）−ｄ２’（１．２×√２））〜２．３０ｍｍ（＝Ｄ’（３．５ｍｍ）−ｄ１’（１．２））程度となり、その後方で延在する環状の支持コード１２ａの先端（屈曲部）の屈曲径ｂｄとして上記接触状態にあるときの略１．５ｍｍより大きいものとなっている。
このため、挿通孔４Ｕ，４Ｌから生じる光漏れが大きくなり、支持コード１１ａが挿通孔４Ｕへ、支持コード１２ａが挿通孔４Ｌへ侵入可能になり（引っ掛かることもあり）、即ち、上部スクリーン６Ｕや下部スクリーン６Ｌを畳み込み、或いは引き延ばすことで昇降する際の動作を阻害することもある。
【００９０】
また、比較例に係る挿通孔４Ｕの孔径Ｄ’’（φ５．０ｍｍ）及び挿通孔４Ｌの孔径Ｄ’（φ３．５ｍｍ）は、折り曲げ可能とされる各ピッチ保持コード１１，１２のコード断面として短径ｐｄ１×長径ｐｄ２（φ１．０ｍｍ）の２倍よりも大きいものとなっている。そして、挿通孔４Ｕと上側及び下側昇降コード３Ｕ，３Ｌとの間の隙間は、上述したように前後方向で略１．６１ｍｍ〜２．６０ｍｍ程度で、挿通孔４Ｌと下側昇降コード３Ｌとの間の隙間は、上述したように前後方向で略１．８０ｍｍ〜２．３０ｍｍ程度となり、折り曲げ可能とされるピッチ保持コード１１，１２のコード断面としての短径ｐｄ１（０．８ｍｍ）の２倍よりも大きいものとなっている。このため、挿通孔４Ｕ，４Ｌから生じる光漏れが大きくなり、折り曲げ可能とされる各ピッチ保持コード１１，１２がそれぞれ挿通孔４Ｕ，４Ｌへ侵入可能になり（引っ掛かることもあり）、即ち、上部スクリーン６Ｕや下部スクリーン６Ｌを畳み込み、或いは引き延ばすことで昇降する際の動作を阻害することもある。
【００９１】
更に、比較例に係る挿通孔４Ｕの孔径Ｄ’’（φ５．０ｍｍ）及び挿通孔４Ｌの孔径Ｄ’（φ３．５ｍｍ）は、図１０（ｂ）及び図１１（ｂ）に示すように、挿通孔４Ｕの当該４５°投影径Ｄａ’’（５．０／√２≒３．５４ｍｍ）が上側昇降コード３Ｕのコード径ｄ’（φ１．２ｍｍ）の２倍より大きく、同様に挿通孔４Ｌの当該４５°投影径Ｄａ’（３．５／√２≒２．４７ｍｍ）が下側昇降コード３Ｌのコード径ｄ’（φ１．２ｍｍ）の２倍より大きくなっているため、挿通孔４Ｕ，４Ｌから生じる光漏れが大きくなり、上側昇降コード３Ｕ及び下側昇降コード３Ｌの断面積と、それぞれ対応する各挿通孔４Ｕ，４Ｌの面積の双方が本発明に係る実施例よりも大きく、昇降時の上部スクリーン６Ｕや下部スクリーン６Ｌの移動ずれ幅（例えば左右方向のずれ）が相対的に大きくなっている。
【００９２】
以上のように、図６及び図７に示す第２実施形態のプリーツスクリーンでは、上部スクリーン６Ｕ及び下部スクリーン６Ｌにそれぞれ上側昇降コード３Ｕ及び下側昇降コード３Ｌのみを挿通するために設けられる挿通孔４Ｕ，４Ｌの大きさを、上側昇降コード３Ｕ及び下側昇降コード３Ｌの各々一本分以外に他のコード等が入るスペースが無くなるほど極小サイズとしているため、昇降性能を阻害することなく、むしろ向上させて、その挿通孔４Ｕ，４Ｌから生じる光漏れを低減させることができる。
【００９３】
更に、第２実施形態のプリーツスクリーンでは、上側昇降コード３Ｕ及び下側昇降コード３Ｌの断面積と、それぞれ対応する各挿通孔４Ｕ，４Ｌの面積の双方を従来技法よりも小さくしているため、昇降時の上部スクリーン６Ｕや下部スクリーン６Ｌの移動が好ましく上下方向へと規制されて昇降時の上部スクリーン６Ｕや下部スクリーン６Ｌの移動ずれ幅（例えば左右方向のずれ）が小さくなり、プリーツスクリーン全体として見栄えの良い状態を維持できるようになる（動的意匠性の向上）。
【００９４】
そして、上部スクリーン６Ｕでは、下側昇降コード３Ｌを挿通するための挿通孔の配設を不要として光漏れを抑制するだけでなく、図７（ａ）に示す正面視で理解されるように、上側昇降コード３Ｕと下側昇降コード３Ｌが１本の直線状になるよう配設することで、美観を高めることができる（静的意匠性の向上）。
【００９５】
尚、図１０（ａ）及び図１１（ａ）に示す上部スクリーン６Ｕの例では、ピッチ保持コード１１における環状の支持コード１１ａには上側昇降コード３Ｕのみを係合挿通させる構成としているが、図１２（ａ）に示す変形例１のように、上部スクリーン６Ｕの背面側で溶着等により係合片６１を形成し、この係合片６１に設けた挿通孔６２に対し下側昇降コード３Ｌを挿通させ、ピッチ保持コード１１を利用しないものとすることができる。これにより、ピッチ保持コード１１や支持コード１１ａが挿通孔４Ｕへと侵入するのを完全に無くすことができる。
【００９６】
また、図１２（ｂ）に示す変形例２のように、係合片６１に設けた挿通孔６２に対し下側昇降コード３Ｌを挿通させ、ピッチ保持コード１１における環状の支持コード１１ａには上側昇降コード３Ｕ及び下側昇降コード３Ｌの双方を係合挿通させる構成とすることもできる。これにより、支持コード１１ａの屈曲径ｂｄが不要に短径化するのを防ぐことができ、支持コード１１ａが挿通孔４Ｕへと侵入するのをより一層抑制させることができる。
【００９７】
また、図１２（ｃ）に示す変形例３のように、係合片６１に設けた挿通孔６２に対し下側昇降コード３Ｌを挿通させ、ピッチ保持コード１１における環状の支持コード１１ａには下側昇降コード３Ｌのみを係合挿通させる構成とすることもできる。これにより、支持コード１１ａの短小化が可能であり、支持コード１１ａが挿通孔４Ｕへと侵入するのをより一層抑制させることができる。
【００９８】
〔第３実施形態〕
次に、図１３を参照して、上部スクリーン６Ｕと下部スクリーン６Ｌを持つ第３実施形態のプリーツスクリーンを説明する。尚、第２実施形態と同様な構成要素には同一の参照番号を付している。
【００９９】
図１３に示す第３実施形態のプリーツスクリーンは、上部スクリーン６Ｕに設ける挿通孔４Ｕの位置を、下部スクリーン６Ｌに設ける挿通孔４Ｌと比較して室内側にオフセットさせている点で第２実施形態とは相違しており、その他の点は第２実施形態と同様である。
【０１００】
即ち、図１３（ｂ）に示すように、下部スクリーン６Ｌの前後方向幅の略中央部に設けられる挿通孔４Ｌに挿通される下側昇降コード３Ｌは、第２実施形態と同様に、ヘッドボックス１から、上部スクリーン６Ｕに設けられる挿通孔４Ｕに挿通されることなく、中間レール５の背面を経るよう迂回させて当該上部スクリーン６Ｕの背面を垂下しているが、上側昇降コード３Ｕについては、第２実施形態とは異なり、室内側にオフセットさせてヘッドボックス１から垂下し中間レール５を支持するようにしている。
【０１０１】
このため、挿通孔４Ｕについては、上側昇降コード３Ｕが中間レール５の前後方向幅（図示する幅２×ａ）の略中央部より前方に垂下させて中間レール５の前面から距離ｂ（＜ａ）で中間レール５を支持するように、上部スクリーン６Ｕの前方に位置させている。これにより、下側昇降コード３Ｌを中間レール５の背面を経るように迂回させて垂下させても、中間レール５の傾斜を抑制し、ほぼ水平を保つようにすることができる。
【０１０２】
第３実施形態のプリーツスクリーンは、挿通孔４Ｕ，４Ｌの孔径、上側昇降コード３Ｕ及び下側昇降コード３Ｌのコード径、及び上側昇降コード３Ｕ及び下側昇降コード３Ｌの正面視の配設位置は、第２実施形態と同様に構成することができる。
【０１０３】
従って、第３実施形態のプリーツスクリーンは、上述した第２実施形態の利点を全て包含して、尚且つ中間レール５の傾斜を抑制してほぼ水平に保つようにすることができる。
【０１０４】
〔第４実施形態〕
次に、図１４を参照して、上部スクリーン６Ｕと下部スクリーン６Ｌを持つ第４実施形態のプリーツスクリーンを説明する。尚、第２実施形態と同様な構成要素には同一の参照番号を付している。
【０１０５】
図１４に示す第４実施形態のプリーツスクリーンは、挿通孔４Ｕ及び挿通孔４Ｌの双方を、それぞれ上部スクリーン６Ｕ及び下部スクリーン６Ｌの前後方向幅の略中央部に設けているが、上部スクリーン６Ｕの挿通孔４Ｕ及び下部スクリーン６Ｌの挿通孔４Ｌの双方に対し下側昇降コード３Ｌを挿通させ、上側昇降コード３Ｕについては上部スクリーン６Ｕの背面側で垂下させるように構成している点で第２実施形態とは相違しており、その他の点は第２実施形態と同様である。
【０１０６】
即ち、図１４（ｂ）に示すように、ヘッドボックス１から垂下する下側昇降コード３Ｌは、上部スクリーン６Ｕの挿通孔４Ｕに挿通された後、中間レール５の前後方向幅（図示する幅２×ａ）のほぼ中央部に形成される貫通路５ａを経て中間レール５を貫通し、その後、下部スクリーン６Ｌの挿通孔４Ｌに挿通されて、ボトムレール７に接続される。
【０１０７】
一方、ヘッドボックス１から垂下する上側昇降コード３Ｕは、上部スクリーン６Ｕの背面側で垂下されて、中間レール５に接続される。上部スクリーン６Ｕの背面側に昇降コードを垂下させる技法としては、図１０（ａ）、 図１１（ａ）、或いは図１２（ａ），（ｂ），（ｃ）に示す技法を応用することができる。
【０１０８】
このため、挿通孔４Ｕ，４Ｌの各スクリーンに対する形成位置については第２実施形態と同様とすることができるが、挿通孔４Ｕ，４Ｌには下側昇降コード３Ｌのみを挿通させており、この下側昇降コード３Ｌをヘッドボックス１から中間レール５を貫通しボトムレール７へ直線状に垂下させるため、中間レール５の傾斜を抑制し、ほぼ水平を保つようにすることができる。
【０１０９】
そして、ヘッドボックス１から垂下する上側昇降コード３Ｕは、上部スクリーン６Ｕの背面側で垂下されて中間レール５の背面から距離ｂ（＜ａ）で中間レール５を支持するように中間レール５に接続されるため、上部スクリーン６Ｕに対し、この上側昇降コード３Ｕを挿通させるための挿通孔を設けていない。
【０１１０】
第４実施形態のプリーツスクリーンにおいても、挿通孔４Ｕ，４Ｌの孔径、上側昇降コード３Ｕ及び下側昇降コード３Ｌのコード径、及び上側昇降コード３Ｕ及び下側昇降コード３Ｌの正面視の配設位置は、第２実施形態と同様に構成することができる。
【０１１１】
従って、第４実施形態のプリーツスクリーンは、上述した第２実施形態の利点を全て包含し、尚且つ中間レール５の傾斜を抑制してほぼ水平に保つようにすることができる。
【０１１２】
〔第５実施形態〕
次に、図１５を参照して、上部スクリーン６Ｕと下部スクリーン６Ｌを持つ第５実施形態のプリーツスクリーンを説明する。尚、第２実施形態と同様な構成要素には同一の参照番号を付している。
【０１１３】
図１５に示す第５実施形態のプリーツスクリーンは、上部スクリーン６Ｕの前後方向幅の略中央部にて、下側昇降コード３Ｌを挿通させる第１の挿通孔４Ｕと上側昇降コード３Ｕを挿通させる第２の挿通孔４Ｕを前後に並設し、挿通孔４Ｌは下部スクリーン６Ｌの前後方向幅の略中央部に設けて、上側昇降コード３Ｕだけでなく、下側昇降コード３Ｌについてもヘッドボックス１から中間レール５を経てボトムレール７まで、上部スクリーン６Ｕ及び下部スクリーン６Ｌの前後方向幅の略中央部で垂下させるように構成している点で
第２実施形態とは相違しており、その他の点は第２実施形態と同様である。
【０１１４】
即ち、図１５（ａ）における生地面視で示すように、上部スクリーン６Ｕには、その前後方向幅の略中央部にて、下側昇降コード３Ｌを挿通させる第１の挿通孔４Ｕと上側昇降コード３Ｕを挿通させる第２の挿通孔４Ｕが前後に並設されている。下部スクリーン６Ｌには、第２実施形態と同様に、その前後方向幅の略中央部にて、下側昇降コード３Ｌを挿通させる挿通孔４Ｌが設けられている。
【０１１５】
そして、図１５（ｂ）に示すように、ヘッドボックス１から垂下する下側昇降コード３Ｌは、上部スクリーン６Ｕの当該第１の挿通孔４Ｕに挿通された後、中間レール５の前後方向幅（図示する幅２×ａ）のほぼ中央部に形成される貫通路５ａを経て中間レール５を貫通し、その後、下部スクリーン６Ｌの挿通孔４Ｌに挿通されて、ボトムレール７に接続される。
【０１１６】
一方、ヘッドボックス１から垂下する上側昇降コード３Ｕは、第２実施形態と同様に、上部スクリーン６Ｕの第２の挿通孔４Ｕに挿通されて、中間レール５に接続される。
【０１１７】
このため、上部スクリーン６Ｕにおける前後に並設される一対の挿通孔４Ｕのうち一方と、下部スクリーン６Ｌにおける挿通孔４Ｌには下側昇降コード３Ｌのみを挿通させており、この下側昇降コード３Ｌをヘッドボックス１から中間レール５を貫通しボトムレール７へ直線状に垂下させるため、中間レール５の傾斜を抑制し、ほぼ水平を保つようにすることができる。
【０１１８】
そして、上部スクリーン６Ｕにおける当該一対の挿通孔４Ｕのうち他方には、ヘッドボックス１から垂下する上側昇降コード３Ｕのみを挿通させている。
【０１１９】
第５実施形態のプリーツスクリーンにおいても、各挿通孔４Ｕ，４Ｌの孔径、上側昇降コード３Ｕ及び下側昇降コード３Ｌのコード径、及び上側昇降コード３Ｕ及び下側昇降コード３Ｌの正面視の配設位置は、第２実施形態と同様に構成することができる。
【０１２０】
従って、第５実施形態のプリーツスクリーンは、上述した第２実施形態の利点を全て包含し、尚且つ中間レール５の傾斜を抑制してほぼ水平に保つようにすることができる。
【０１２１】
尚、本実施形態の例では、図１６（ａ）に示すように、下側昇降コード３Ｌと上側昇降コード３Ｕとを個別に挿通させるよう前後に並設される一対の挿通孔４Ｕを上部スクリーン６Ｕの前後方向幅の略中央部に設けることで、下側昇降コード３Ｌをヘッドボックス１から中間レール５を経てボトムレール７に接続されるまで直線状に垂下させる例を説明したが、図１６（ｂ）に示すように、この一対の挿通孔４Ｕの間隔を上部スクリーン６Ｕの前後方向幅で離間させて形成してもよく、この場合、下側昇降コード３Ｌを中間レール５の背面に迂回させて垂下させる構成とすることができる。
【０１２２】
〔第１乃至第５実施形態に係る変形例〕
図１７には、本発明による第１乃至第５実施形態のプリーツスクリーンに適用可能な変形例のスクリーン周辺の拡大斜視図を示している。上述した第１乃至第５実施形態のプリーツスクリーンでは、昇降コード３として丸断面を持つ紐状コードを想定して説明したが、このような昇降コード３とする代わりに、図１７に示すように、縦幅（長径）ｄ２を持つ厚み（短径）ｄ１のテープ状コードとした昇降コード３Ｔとすることができる。
【０１２３】
更に、図１７に示す例では、丸孔状の挿通孔４（或いは４Ｕ，４Ｌ）とする代わりに、昇降コード３Ｔを挿通可能とする挿通孔４Ｓを、スクリーン６（或いは上部スクリーン６Ｕ又は下部スクリーン６Ｌ）に対し、前後方向に延びる孔長Ｄ１のスリット状に形成したものとすることができる。孔長Ｄ１を持つ挿通孔４Ｓに昇降コード３Ｔが挿通されると、生地面視で示すように、挿通孔４Ｓは、昇降コード３Ｔの厚み（短径）ｄ１とほぼ同一長さの孔幅Ｄ２を持つようになる。
【０１２４】
挿通孔４Ｓの孔幅Ｄ２と、昇降コード３Ｔの短径ｄ１の関係は、図４（ａ）及び図５（ａ）、或いは図１０（ａ）及び図１１（ａ）に示した例と同様に規制される。即ち、例えば第１実施形態の変形例として適用する場合、ピッチ保持コード１１の支持コード１１ａとスクリーン６の生地（生地厚ｓｄ）とが接触する状態であるか否かに関わらず、挿通孔４Ｓと昇降コード３Ｔとの間の前後方向の隙間を、コード断面として短径ｐｄ１×長径ｐｄ２を持つピッチ保持コード１１に等間隔に多数設けられる環状の支持コード１１ａ（丸状断面径ｋｄ）の先端（屈曲部）の屈曲径ｂｄより小さいものとすることが容易に実現される。更に、挿通孔４Ｓの孔幅Ｄ２は、折り曲げ可能とされるピッチ保持コード１１のコード断面として長径ｐｄ２より小さいものとし、更には短径ｐｄ１の２倍より小さいものとする。また、本発明に係る昇降コード３Ｔの厚み（短径）ｄ１は、ピッチ保持コード１１のコード断面としての短径ｐｄ１と長径ｐｄ２のいずれに対しても小径化させる。更に、挿通孔４Ｓの孔長Ｄ１は、スクリーン６（或いは上部スクリーン６Ｕ又は下部スクリーン６Ｌ）が水平から４５°傾斜時に垂直方向又は水平方向に投影した径（４５°投影径）も昇降コード３Ｔの縦幅ｄ２の２倍以下とすることができる。
【０１２５】
そして、挿通孔４Ｓの孔幅Ｄ２については、ほぼ昇降コード３Ｔの厚み（短径）ｄ１と同じであり、左右方向に関して挿通孔４Ｓで光漏れの生じる余地は無視できるようになり、光漏れを好適に抑制することができる。
【０１２６】
図１８には、本発明による第１乃至第５実施形態のプリーツスクリーンに適用可能な更なる変形例のスクリーン周辺の拡大斜視図を示している。上述した第１乃至第５実施形態のプリーツスクリーンでは、丸孔状の挿通孔４（或いは４Ｕ，４Ｌ）とする代わりに、前後方向に長尺な長孔状の挿通孔４Ｅとすることができる。
【０１２７】
この場合、例１として生地面視で図示するように、例えば孔長Ｄ１及び孔幅Ｄ２を持つ前後方向に長尺な長孔状の挿通孔４Ｅに対し、丸断面を持つ紐状コードよりなるコード径ｄ（＝ｄ１，≒Ｄ２）の昇降コード３（生地面視では楕円断面状）を挿通する構成や、例２として生地面視で図示するように、例えば孔長Ｄ１及び孔幅Ｄ２を持つ前後方向に長尺な長孔状の挿通孔４Ｅに対し、生地面視で縦幅ｄ２を持つ厚さ（短径）ｄ１のテープ状コードとした昇降コード３Ｔを挿通する構成とすることができる。
【０１２８】
このような前後方向に長尺な長孔状の挿通孔４Ｅについても、その挿通孔４Ｅの孔幅Ｄ２と、昇降コード３（又は昇降コード３Ｔ）の短径ｄ１の関係は、図４（ａ）及び図５（ａ）、或いは図１０（ａ）及び図１１（ａ）に示した例と同様に規制される。即ち、例えば第１実施形態の変形例として適用する場合、ピッチ保持コード１１の支持コード１１ａとスクリーン６の生地（生地厚ｓｄ）とが接触する状態であるか否かに関わらず、挿通孔４Ｅと昇降コード３（又は昇降コード３Ｔ）との間の前後方向の隙間を、コード断面として短径ｐｄ１×長径ｐｄ２を持つピッチ保持コード１１に等間隔に多数設けられる環状の支持コード１１ａ（丸状断面径ｋｄ）の先端（屈曲部）の屈曲径ｂｄより小さいものとする。更に、挿通孔４Ｅの孔幅Ｄ２は、折り曲げ可能とされるピッチ保持コード１１のコード断面として長径ｐｄ２より小さいものとし、更には短径ｐｄ１の２倍より小さいものとする。また、本発明に係る昇降コード３（又は昇降コード３Ｔ）の短径ｄ１は、ピッチ保持コード１１のコード断面としての短径ｐｄ１と長径ｐｄ２のいずれに対しても小径化させる。更に、挿通孔４Ｅの孔長Ｄ１は、スクリーン６（或いは上部スクリーン６Ｕ又は下部スクリーン６Ｌ）が水平から４５°傾斜時に垂直方向又は水平方向に投影した径（４５°投影径）も昇降コード３のコード径ｄ（又は昇降コード３Ｔの縦幅ｄ２）の２倍以下とすることができる。
【０１２９】
そして、挿通孔４Ｅの孔幅Ｄ２については、ほぼ昇降コード３のコード径ｄ（又は昇降コード３Ｔの厚みｄ１）と同じとすることができ、左右方向に関して挿通孔４Ｅで光漏れの生じる余地は無視できるほど小さくすることができるため、光漏れを好適に抑制することができる。
【０１３０】
図１９には、本発明による第１乃至第５実施形態のプリーツスクリーンに適用可能な更なる変形例のスクリーン周辺の拡大斜視図を示している。上述した第１乃至第５実施形態のプリーツスクリーンでは、丸孔状の挿通孔４（或いは４Ｕ，４Ｌ）とする代わりに、昇降コード３（又は３Ｕ，３Ｌ）のコード径ｄに対し僅かに拡径したほぼ同径の挿通孔４Ｃとすることができる。
【０１３１】
この場合、昇降コード３（又は３Ｕ，３Ｌ）及び挿通孔４Ｃは、生地面視でも正円状に視認され、挿通孔４Ｃと昇降コード３との間に隙間がほとんどないため、挿通孔４Ｃの孔径Ｄと昇降コード３のコード径ｄの関係は、図４（ａ）及び図５（ａ）、或いは図１０（ａ）及び図１１（ａ）に示した例と同様に規制される。従って、図１９に示す例では、前後・左右のいずれの方向に関しても、挿通孔４Ｃで光漏れの生じる余地は無視できるほど小さくすることができるため、光漏れを好適に抑制することができる。
【０１３２】
また、図１９に示す変形例のように構成することで、スクリーン６（或いは上部スクリーン６Ｕ又は下部スクリーン６Ｌ）が折り畳まれる方向に動作させたときに、昇降コード３と挿通孔４Ｃとで摩擦が生じて、昇降コード３がスクリーン６（或いは上部スクリーン６Ｕ又は下部スクリーン６Ｌ）の前方折り目よりも飛び出すのを規制する作用があり、意匠性が向上する。
【０１３３】
以上、特定の実施形態の例を挙げて本発明を説明したが、本発明は前述の実施形態の例に限定されるものではなく、その技術思想を逸脱しない範囲で種々変形可能である。例えば、上下方向に折り曲げ可能としたスクリーンをヘッドボックスから吊下支持する特定の実施形態のプリーツスクリーンの例を説明したが、上下又は前後にスクリーンを吊下する別の実施形態のプリーツスクリーンや、折り畳み可能なハニカム構造の筒体が上下方向に多数連なる構造を有するスクリーンをヘッドボックスから吊下支持し、当該ハニカム構造のスクリーンを昇降可能とするプリーツスクリーンとすることができる。
【０１３４】
また、上述した実施形態の例では、スクリーンの昇降に関する操作手段として特定の例を説明したが、手動及び電動を問わず、任意の形態とすることができる。
【０１３５】
また、上述した第５実施形態では、好適例として、上部スクリーン６Ｕに対し、上部スクリーン６Ｕの昇降用の昇降コード３Ｕを挿通させる第１の挿通孔４Ｕと、下部スクリーン６Ｌの昇降用の昇降コード３Ｌを挿通させる第２の挿通孔４Ｕとが前後方向に並ぶ縦配列に形成する例を説明したが、左右方向に並ぶ横配列に形成する場合でも、挿通孔４Ｕの小径化、及び昇降コード３Ｕ，３Ｌの小径化による光漏れの抑制効果を生じさせ、左右方向に並ぶ横配列の一対の挿通孔４Ｕのうちいずれか一方又は双方を上部スクリーン６Ｕの前後方向における略中央部からオフセットした位置に形成することで、中間レール５の傾き抑制を生じさせる効果に寄与させる形態とすることができる。
【産業上の利用可能性】
【０１３６】
本発明によれば、スクリーンに各昇降コードを挿通するために設けられる挿通孔の大きさを、各昇降コードの一本分以外に他のコード等が入るスペースが無くなるほど極小サイズとしているため、その挿通孔から生じる光漏れを低減させることができるので、プリーツスクリーンの用途に有用である。
【符号の説明】
【０１３７】
１  ヘッドボックス
２  ブラケット
３，３Ｔ  昇降コード
３Ｕ  上側昇降コード
３Ｌ  下側昇降コード
４，４Ｕ，４Ｌ，４Ｓ，４Ｅ  挿通孔
５  中間レール
６  スクリーン
６Ｕ  上部スクリーン
６Ｌ  下部スクリーン
７  ボトムレール
【図１】
2018178539.tif 000003
【図２】
2018178539.tif 000004
【図３】
2018178539.tif 000005
【図４】
2018178539.tif 000006
【図５】
2018178539.tif 000007
【図６】
2018178539.tif 000008
【図７】
2018178539.tif 000009
【図８】
2018178539.tif 000010
【図９】
2018178539.tif 000011
【図１０】
2018178539.tif 000012
【図１１】
2018178539.tif 000013
【図１２】
2018178539.tif 000014
【図１３】
2018178539.tif 000015
【図１４】
2018178539.tif 000016
【図１５】
2018178539.tif 000017
【図１６】
2018178539.tif 000018
【図１７】
2018178539.tif 000019
【図１８】
2018178539.tif 000020
【図１９】
2018178539.tif 000021